(57)【要約】【課題】摩擦用芯体の製造コストを低減させることが可能な多芯式熱変色性筆記具を提供する。【解決手段】軸筒２内に少なくとも１本の筆記用芯体６と、少なくとも１本の摩擦用芯体とを前後方向に移動可能に収容する。筆記用芯体６が、内部に熱変色性インキが収容され且つ前端に熱変色インキが吐出可能なペン先６１を備える。摩擦用芯体が、前端に、熱変色性インキの筆跡を摩擦しその際に生じる摩擦熱で該筆跡を熱変色可能なチップ部を備える。筆記用芯体６及び摩擦用芯体の各々の後端に操作部６３・７３を設ける。摩擦用芯体が、チップ部と、操作部７３、チップ部を前端部に備え且つ操作部７３を後端部に備えた軸部とからなる。チップ部、軸部、及び操作部７３が合成樹脂により一体に形成される。【選択図】  図１
2012232481.tif 000002
【特許請求の範囲】
【請求項１】
軸筒内に少なくとも１本の筆記用芯体と、少なくとも１本の摩擦用芯体とを前後方向に移動可能に収容し、
前記筆記用芯体が、内部に熱変色性インキが収容され且つ前端に前記熱変色インキが吐出可能なペン先を備え、
前記摩擦用芯体が、前端に、前記熱変色性インキの筆跡を摩擦しその際に生じる摩擦熱で該筆跡を熱変色可能なチップ部を備え、
前記筆記用芯体及び前記摩擦用芯体の各々の後端に操作部を設け、前記筆記用芯体及び前記摩擦用芯体の各々を弾発体により後方に付勢し、前記軸筒の側壁に軸方向に延びる複数の窓孔を径方向に貫設し、前記各々の窓孔から径方向外方に前記各々の操作部を突出させ、一つの操作部を窓孔に沿って前方にスライドさせることにより、その一つの操作部を有する筆記用芯体のペン先または摩擦用芯体のチップ部を軸筒の前端孔から突出させるとともに、先に突出状態にあった他の筆記用芯体のペン先または摩擦用芯体のチップ部を軸筒内に没入させる多芯式熱変色性筆記具であって、
前記摩擦用芯体が、前記チップ部と、前記操作部と、前記チップ部を前端部に備え且つ前記操作部を後端部に備えた軸部とからなり、前記チップ部、前記軸部、及び前記操作部が合成樹脂により一体に形成されてなることを特徴とする多芯式熱変色性筆記具。
【請求項２】
前記筆記用芯体の後端部の操作部の径方向の反対側の外面に係合突部を設け、前記摩擦用芯体の軸部の後端部の操作部の径方向の反対側の外面に係合突部を一体に形成し、
チップ部出没時に前記摩擦用芯体の係合突部に他の筆記用芯体または摩擦用芯体の係合突部が当接してなる請求項１記載の多芯式熱変色性筆記具。
【請求項３】
前記軸部が可撓性を有する請求項１または２記載の多芯式熱変色性筆記具。
【発明の詳細な説明】
【技術分野】
【０００１】
本発明は、多芯式熱変色性筆記具に関する。詳細には、軸筒内に複数の芯体が出没可能に収容された多芯式熱変色性筆記具に関する。
【背景技術】
【０００２】
特許文献１には、軸筒内に筆記用芯体と摩擦用芯体とを前後方向に移動可能に収容し、前記筆記用芯体の内部に熱変色性インキを収容し、前記摩擦用芯体の前端に熱変色性インキの筆跡を摩擦可能なチップ部を設けた熱変色性筆記具が開示されている。
【先行技術文献】
【特許文献】
【０００３】
【特許文献１】特開２００８−２４７０２５号公報
【発明の概要】
【発明が解決しようとする課題】
【０００４】
前記特許文献１の熱変色性筆記具は、摩擦用芯体が、チップ、軸部、及び操作体の３部品からなる。そのため、３部品の組立工程が必要となり、摩擦用芯体の製造コストが上昇する。
【０００５】
本発明は、前記従来の問題点を解決するものであって、摩擦用芯体の製造コストを低減させることが可能な多芯式熱変色性筆記具を提供しようとするものである。尚、本発明で、「前」とは、ペン先側を指し、「後」とは、その反対側を指す。尚、本発明で、「ペン先没入状態」とは、ペン先が軸筒内に没入した状態をいい、「ペン先突出状態」とは、ペン先が軸筒の前端より外部に突出した状態をいう。尚、本発明で、「チップ部没入状態」とは、チップ部が軸筒内に没入した状態をいい、「チップ部突出状態」とは、チップ部が軸筒の前端より外部に突出した状態をいう。
【課題を解決するための手段】
【０００６】
本願の第１の発明は、軸筒２内に少なくとも１本の筆記用芯体６と、少なくとも１本の摩擦用芯体とを前後方向に移動可能に収容し、前記筆記用芯体６が、内部に熱変色性インキが収容され且つ前端に前記熱変色インキが吐出可能なペン先６１を備え、前記摩擦用芯体が、前端に、前記熱変色性インキの筆跡を摩擦しその際に生じる摩擦熱で該筆跡を熱変色可能なチップ部を備え、前記筆記用芯体６及び前記摩擦用芯体の各々の後端に操作部６３・７３を設け、前記筆記用芯体６及び前記摩擦用芯体の各々を弾発体２１により後方に付勢し、前記軸筒２の側壁に軸方向に延びる複数の窓孔４１を径方向に貫設し、前記各々の窓孔４１から径方向外方に前記各々の操作部６３・７３を突出させ、一つの操作部を窓孔４１に沿って前方にスライドさせることにより、その一つの操作部を有する筆記用芯体６のペン先６１または摩擦用芯体のチップ部を軸筒２の前端孔３１から突出させるとともに、先に突出状態にあった他の筆記用芯体６のペン先６１または摩擦用芯体のチップ部を軸筒２内に没入させる多芯式熱変色性筆記具であって、前記摩擦用芯体が、前記チップ部と、前記操作部７３、前記チップ部を前端部に備え且つ前記操作部７３を後端部に備えた軸部とからなり、前記チップ部、前記軸部、及び前記操作部７３が合成樹脂により一体に形成されてなることを要件とする。
【０００７】
前記第１の発明の多芯式熱変色性筆記具１は、前記摩擦用芯体が、前記チップ部と、前記操作部７３と、前記チップ部を前端部に備え且つ前記操作部７３を後端部に備えた軸部とからなり、前記チップ部、前記軸部、及び前記操作部７３が合成樹脂により一体に形成されてなることにより、摩擦用芯体の製造コストを低減させることができる。
【０００８】
本願の第２の発明は、前記第１の発明の多芯式熱変色性筆記具１において、前記筆記用芯体６の後端部の操作部６３の径方向の反対側の外面に係合突部６４を設け、前記摩擦用芯体の軸部の後端部の操作部７３の径方向の反対側の外面に係合突部７４を一体に形成し、チップ部出没時に前記摩擦用芯体の係合突部７４に他の筆記用芯体６または摩擦用芯体の係合突部６４・７４が当接してなることを要件とする。
【０００９】
前記第２の発明の多芯式熱変色性筆記具１は、前記筆記用芯体６の後端部の操作部６３の径方向の反対側の外面に係合突部６４を設け、前記摩擦用芯体の軸部の後端部の操作部７３の径方向の反対側の外面に係合突部７４を一体に形成し、チップ部出没時に前記摩擦用芯体の係合突部７４に他の筆記用芯体６または摩擦用芯体の係合突部６４・７４が当接してなることにより、摩擦用芯体の製造コストをより一層、低減させることができる。
【００１０】
本願の第３の発明は、前記第１または第２の発明の多芯式熱変色性筆記具１において、前記軸部が可撓性を有することを要件とする。
【００１１】
前記第３の発明の多芯式熱変色性筆記具１は、前記軸部が可撓性を有することにより、摩擦用芯体のチップ部の突出状態において、軸部が容易に撓むため、チップ部を軸筒２の前端孔３１より容易に突出させることができる。
【００１２】
・摩擦用芯体
本発明において、前記摩擦用芯体を構成する合成樹脂は、例えば、ポリプロピレン、ポリエチレン、ＡＢＳ樹脂、ポリアセタール樹脂、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。
【００１３】
・熱変色性インキ
本願発明において、前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００１４】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００１５】
本発明では、図８に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図８において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００１６】
本発明では、前記摩擦用芯体のチップ部の摩擦熱による熱変色性インキの変色温度は、２５℃〜９５℃（好ましくは３６℃〜９５℃）に設定される。即ち、本発明では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる筆跡を前記摩擦用芯体のチップ部による摩擦熱で容易に変色することができる。
【発明の効果】
【００１７】
本発明多芯式熱変色性筆記具は、摩擦用芯体の製造コストを低減できる。
【図面の簡単な説明】
【００１８】
【図１】本発明の実施の形態のペン先没入状態及びチップ部没入状態を示す縦断面図である。
【図２】図１のペン先突出状態を示す縦断面図である。
【図３】図１のチップ部突出状態を示す縦断面図である。
【図４】図１の側面図である。
【図５】図１の摩擦用芯体の交換時の側面図である。
【図６】図１の筆記用芯体の縦断面図である。
【図７】図１の摩擦用芯体の縦断面図である。
【図８】熱変色性インキの変色挙動を示す説明図である。
【発明を実施するための形態】
【００１９】
本発明の実施の形態を図１乃至図７に示す。
本実施の形態の多芯式熱変色性筆記具１は、軸筒２内に、１本の筆記用芯体６と１本の摩擦用芯体７の各々が前後方向（軸方向）に移動可能に収容されている。前記筆記用芯体６、摩擦用芯体７の各々は、弾発体２１（具体的には圧縮コイルスプリング）により、後方に付勢されている。
【００２０】
・軸筒
前記軸筒２は、先細状の円筒体からなる前軸３と、該前軸３の後端部と螺合または圧入により取り付けられる円筒状の後軸４とからなる。前記前軸３の前端には、筆記用芯体６のペン先６１及び摩擦用芯体７のチップ部７１が突出可能な前端孔３１が軸方向に貫設される。前記前軸３及び後軸４は、合成樹脂（例えば、ポリカーボネイト等）の射出成形により得られる。尚、前記軸筒２（前軸３及び後軸４）は、金属により形成してもよい。
【００２１】
前記後軸４の後部の側壁には、軸筒２内に収容する筆記用芯体６及び摩擦用芯体７の本数に応じた複数（ここでは２本）の前後方向に延びる細長状の窓孔４１が、径方向に貫設される。また、前記後軸４の後端部には、軸方向に貫通し且つ径方向外方に開口する開口部４２が形成される。前記開口部４２は、後軸４の後端（即ち軸筒２の後端）において窓孔４１と連通され、それにより、窓孔４１後端が後方に切り欠かれ後方に開口されている。一方、前記窓孔４１の前端は常時閉鎖されている。
【００２２】
また、前記後軸４の窓孔４１の相互間の側壁内面には、前後方向に延びるリブよりなる係止壁部４３が形成され、前記係止壁部４３に、ペン先６１またはチップ部７１が突出した際のその突出したペン先６１に対応した筆記用芯体６の後端またはチップ部７１に対応した摩擦用芯体の後端が係止される。
【００２３】
前記後軸４の窓孔４１の相互間の側壁外面には、クリップ４４が設けられる。
【００２４】
ペン先６１が軸筒２の前端より外部に突出した状態（筆記時）において、前端孔３１内面がペン先６１の径方向外面を支持し、チップ部７１が軸筒２の前端より外部に突出した状態（摩擦変色時）において、前端孔３１内面がチップ部７１の径方向外面を支持する。前記前端孔３１を備える軸筒２の前端部は、軸筒２（前軸３）と一体に形成されるため、軸筒２と同じ材料（例えば、ポリカーボネイト樹脂）によって構成される。
【００２５】
・蓋部
前記後軸４の後端部には、前記開口部４２を開閉自在にする蓋部５が回動自在に設けられる。前記蓋部５の一端部は、クリップ４４基部に、ヒンジ部５２により回動自在に取り付けられる。前記蓋部５の前面には、当接壁部５１が形成される。前記当接壁部５１に、ペン先没入状態の筆記用芯体６の後端、及びチップ部没入状態の摩擦用芯体７の後端が当接される。
【００２６】
前記蓋部５の他端部の前面には、凹部または孔部からなる係合部５３が設けられる。軸筒２（後軸４）の後端には、前記係合部５３と係合可能な凸部からなる被係合部４５が設けられる。前記係合部５３の内面には、内向突起が形成され、一方、前記被係合部４５の外面には、前記内向突起と乗り越え係止可能な外向突起が形成される。
【００２７】
前記係合部５３と前記被係合部４５とは、蓋部５が開口部４２を閉鎖した際、互いに係合状態にあり（具体的には内向突起と外向突起が乗り越え係止状態にあり）、弾発体２１の後方への付勢による筆記用芯体６または摩擦用芯体と蓋部５前面の当接壁部５１との当接では、その係合状態は解除されず、蓋部５が開くことはない。
【００２８】
・筆記用芯体
前記筆記用芯体６は、ボールペンレフィルであり、前端にボールが回転可能に抱持されたボールペンチップ（即ちペン先６１）と、該ボールペンチップを前端に備え且つ後端が開口されたインキ収容管６２と、該インキ収容管６２の後端に設けた操作部６３とからなる。前記インキ収容管６２の内部には、剪断減粘性を有する水性ゲルよりなる熱変色性インキ６３が収容される。前記インキ収容管６２内の熱変色性インキ６３の後端には、該インキの消費に伴い前進する高粘度流体からなる追従体６４が充填される。
【００２９】
前記ペン先６１は、前端に回転可能に抱持されたボールを備えるボールペンチップからなる。前記ペン先６１の内部には、前端のボールを前方に押圧するボール用弾発体６５が収容される。前記ボール用弾発体６５は、圧縮コイルスプリングの前端部にロッド部を備えた構成であり、前記ロッド部の前端がボール後面に接触している。非筆記時、前記ボール用弾発体６５の前方付勢によりボールがボールペンチップ前端の内向きの前端縁部内面に密接され、ペン先６１の前端からのインキの漏出及びインキの蒸発を防止できる。また、ボールペンチップは、インキ収容管６２の前端開口部に圧入等により直接、取り付けてもよいが、本実施の形態ではペン先ホルダーを介してインキ収容管６２の前端開口部に固着される。
【００３０】
前記熱変色性インキ６３は、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性組成物を有するインキが採用される。
【００３１】
・摩擦用芯体
摩擦用芯体７は、チップ部７１と、該チップ部７１が前端に一体に形成された軸部７２と、該軸部の後端部に一体に形成される操作部７３及び係合突部７４とからなる。前記軸部７２は、筆記用芯体６のインキ収容管６２と同一直径の円柱状の部材が採用されている。前記摩擦用芯体（即ち、チップ部、軸部、操作部７３、及び係合突部７４）は、例えば、ポリプロピレン樹脂、ポリエチレン樹脂、ＳＢＳ樹脂、ＳＥＢＳ樹脂等よりなる。
【００３２】
・チップ部
前記チップ部７１の前端は球面状の丸みを有する。それにより、摩擦変色時、チップ部７１前端と被筆記面との円滑な接触が可能となるとともに、チップ部７１前端と被筆記面との適正な接触面積が得られることにより摩擦熱の発生が容易となる。前記チップ部７１の前端は、これ以外にも、チゼル形状、砲弾形状、円柱形状、円錐形状、角柱形状、角錐形状等であってもよい。尚、前記チップ部７１は、チップ部出没時、前端孔３１内面と摺動する。
【００３３】
・操作部、係合突部
前記筆記用芯体６の後端部及び前記摩擦用芯体７の後端部の各々には、操作部６３・７３が設けられる。前記各々の操作部６３・７３は、後端部に形成され且つ軸筒２の窓孔４１から外部に突出する。前記操作部６３・７３の反対側には係合突部６４・７４が形成される。前記係合突部６４・７４は、前側突出部６４ａ・７４ａと、該前側突出部６４ａ・７４ａの後方に配置される後側突出部６４ｂ・７４ｂとからなる。（図６、図７参照）
【００３４】
筆記用芯体６のペン先６１が没入状態のとき（図１及び図３参照）、その筆記用芯体６の後端部は、蓋部５の前面に形成された当接壁部５１に当接される。一方、筆記用芯体６のペン先６１が突出状態のとき（図２参照）、その筆記用芯体６の後端部は、軸筒２の内壁に形成された係止壁部４３に係止される。
【００３５】
同様に、摩擦用芯体７のチップ部７１が没入状態のとき（図１及び図２参照）、その摩擦用芯体７の後端は、蓋部５の前面に形成された当接壁部５１に当接される。一方、摩擦用芯体７のチップ部７１が突出状態のとき（図３参照）、その摩擦用芯体７の後端部は、軸筒２の内壁に形成された係止壁部４３に係止される。
【００３６】
図２に示すように、チップ部没入状態にある摩擦用芯体７の後端部の前側突出部７４ａは、その操作部７３を前方にスライド操作した際、先にペン先突出状態にある筆記用芯体６の後端部の後側突出部６４ｂと当接され、筆記用芯体６のペン先突出状態が解除される。また、図３に示すように、ペン先没入状態にある筆記用芯体６の後端部の前側突出部６４ａは、その操作部６３を前方にスライド操作した際、先にチップ部突出状態にある摩擦用芯体７の後端部の後側突出部７４ｂと当接され、摩擦用芯体７のチップ部突出状態が解除される。
【００３７】
・表示部
前記筆記用芯体６の後端部の操作部６３は、その操作部６３を有する筆記用芯体６の内部（即ちインキ収容管６２内部）に収容された熱変色性インキ６３の発色状態と略同じ色に着色される。具体的には、前記筆記用芯体６の後端部の操作部６３は、筆記用芯体６の熱変色性インキ６３の発色状態のインキ色と略同じ色に着色された合成樹脂の成形体からなる。それにより、前記操作部６３は、筆記用芯体６内に収容された熱変色性インキ６３の発色状態のインキ色を表示する表示部を有する。
【００３８】
前記摩擦用芯体７は、透明、白色、灰色、または淡色を呈する。具体的には、前記摩擦用芯体７の各々は、透明な合成樹脂、または白色、灰色、若しくは淡色を呈する合成樹脂の成形体からなる。それにより、前記摩擦用芯体の操作部７３は、熱変色性インキ６３の発色状態のインキ色以外の色を呈する表示部を有する。
【００３９】
・弾発体支持部
軸筒２の内壁（即ち後軸４の内壁）には、円筒状の弾発体支持部９が設けられる。前記弾発体支持部９は、筆記用芯体６及び摩擦用芯体７が挿通される複数の内孔９１が軸方向に貫設されている。前記弾発体支持部９の後面と、筆記用芯体６及び摩擦用芯体７の段部６５・７５との間には、各々の弾発体２１が配置される。前記各々の弾発体２１の内部に筆記用芯体６が遊挿されるとともに、各々の筆記用芯体６及び各々の摩擦用芯体の各々は、弾発体２１の前端は弾発体支持部９の後面により係止され、各々の弾発体２１の後端は、各々の筆記用芯体６及び各々の摩擦用芯体の前記段部６５・７５の前面に係止される。
【００４０】
また、弾発体支持部９の後面の各々の内孔９１の周囲には、後方に突出する筒状突出部よりなる保持部９２が形成される。前記各々の保持部９２の内面は、各々の弾発体２１の前端部外面が圧入保持される。それにより、筆記用芯体６及び摩擦用芯体７を交換する際、軸筒２内から開口部４２を通して各々の弾発体２１が脱落することを防止できる。
【００４１】
前記各々の弾発体２１は、各々の筆記用芯体６及び摩擦用芯体７を、常時、後方に付勢している。前記各々の弾発体２１は、ペン先突出状態、ペン先没入状態、チップ部突出状態、チップ部没入状態のいずれにおいても圧縮状態（即ち筆記用芯体６及び摩擦用芯体７が後方に付勢された状態）にあり、それにより、各々の操作部６３・７３の前後のがたつきが防止される。
【００４２】
・ペン先突出作動
筆記用芯体６の操作部６３を弾発体２１の後方付勢に抗して窓孔４１に沿って前方にスライド操作すると、そのスライド操作された操作部６３の反対側の前側突出部６４ａが、先にチップ部突出状態にある摩擦用芯体７の後側突出部７４ｂを径方向外方に持ち上げる。それにより、軸筒２内壁の係止壁部４３と先にチップ部突出状態にある摩擦用芯体の後端との係止状態が解除され、摩擦用芯体７が弾発体２１の後方付勢により後方に移動され、摩擦用芯体７のチップ部７１が軸筒２内に没入され、摩擦用芯体７の後端が、蓋部５の前面の当接壁部５１に当接される。前記摩擦用芯体７のチップ部７１の没入と同時に、前記前方にスライド操作した操作部６３に接続された筆記用芯体６のペン先６１が、軸筒２の前端孔３１より外部に突出されるとともに、前方にスライド操作された操作部６３を有する筆記用芯体６の後端が軸筒２内壁の係止壁部４３に係止され、そのペン先突出状態が維持される。
【００４３】
本実施の形態では、筆記使用する際、多芯式熱変色性筆記具１を片手に持ち、操作部６３を前方に押圧操作することによって、迅速にペン先没入状態（図１及び図３の状態）からペン先突出状態（図２の状態）にすることできる。この突出状態にあるペン先６１で、紙面等の被筆記面に筆記することにより、熱変色性インキ６３による筆跡を被筆記面に形成することができる。
【００４４】
・チップ部出没作動
摩擦用芯体７の操作部７３を弾発体２１の後方付勢に抗して窓孔４１に沿って前方にスライド操作すると、そのスライド操作された摩擦用芯体の前側突出部７４ａが、先にペン先突出状態にある筆記用芯体６の後側突出部６４ｂを径方向外方に持ち上げる。それにより、軸筒２内壁の係止壁部４３と先にペン先突出状態にある筆記用芯体６後端との係止状態が解除され、筆記用芯体６が弾発体２１の後方付勢により後方に移動され、筆記用芯体６のペン先６１が軸筒２内に没入され、筆記用芯体６の後端が、蓋部５の前面の当接壁部５１に当接される。前記筆記用芯体６のペン先６１の没入と同時に、前記前方にスライド操作した操作部７３を有する摩擦用芯体７のチップ部７１が、軸筒２の前端孔３１より外部に突出されるとともに、前方にスライド操作された操作部７３を有する摩擦用芯体の後端が軸筒２内壁の係止壁部４３に係止され、そのチップ部突出状態が維持される。
【００４５】
本実施の形態では、筆記後、その筆跡を摩擦変色させる際、前記多芯式熱変色性筆記具１を片手に持った状態で、多芯式熱変色性筆記具１を大きく持ち替えること無く、操作部７３を前方に押圧操作することによって、迅速にチップ部没入状態（図１及び図２の状態）からチップ部突出状態（図３の状態）にすることができる。この突出状態にあるチップ部７１で、被筆記面に形成された前記熱変色性インキ６３による筆跡を摩擦し、その際に生じる摩擦熱で前記筆跡を熱変色（ここでは無色化）させることができる。
【００４６】
・筆記用芯体の交換、摩擦用芯体の交換
本実施の形態における筆記用芯体６、及び摩擦用芯体７について説明する。筆記用芯体６または摩擦用芯体７を交換する際、蓋部５が軸筒２の後端の開口部４２を閉鎖した状態（図４参照）から、蓋部５のヒンジ部５２と反対側の操作端部を後方に押圧し、係合部５３と被係合部４５との係合を解除し、蓋部５を後方に回動させ、軸筒２の後端の開口部４２を開口する。前記開口部４２を開口させると、前記開口部４２から各々の操作部６３・７３が、弾発体２１の後方付勢により後方外部に突出される。前記軸筒２の後端の開口部４２が開口した状態（図５参照）で、操作部６３・７３を取り出すことにより、その操作部６３・７３に接続された筆記用芯体６（即ち筆記用芯体レフィル）または摩擦用芯体７（即ち摩擦用芯体レフィル）を前記開口部４２を介して軸筒２内から取り出し、その後、新たな筆記用芯体６、または新たな摩擦用芯体７とを開口部４２を介して軸筒２内に挿入する。そして、蓋部５の当接壁部５１に筆記用芯体６の後端または摩擦用芯体の後端を当接させ、各々の操作部６３・７３を前方に押圧しながら蓋部５を前方に回動させ、その後、係合部５３と被係止部とを係合させ、開口部４２を閉鎖する。これにより、筆記用芯体６、及び摩擦用芯体７の交換作業が終了する。
【００４７】
本実施の形態の多芯式熱変色性筆記具１は、前記摩擦用芯体が、前記チップ部と、前記操作部７３と、前記チップ部を前端部に備え且つ前記操作部７３を後端部に備えた軸部とからなり、前記チップ部、前記軸部、及び前記操作部７３が合成樹脂により一体に形成されてなることにより、摩擦用芯体の製造コストを低減させることができる。
【００４８】
本実施の形態の多芯式熱変色性筆記具１は、前記第２の発明の多芯式熱変色性筆記具１は、前記筆記用芯体６の後端部の操作部６３の径方向の反対側の外面に係合突部６４を設け、前記摩擦用芯体の軸部の後端部の操作部７３の径方向の反対側の外面に係合突部７４を一体に形成し、チップ部出没時に前記摩擦用芯体の係合突部７４に他の筆記用芯体６または摩擦用芯体の係合突部６４・７４が当接してなることにより、摩擦用芯体の製造コストをより一層、低減させることができる。
【００４９】
本実施の形態の多芯式熱変色性筆記具１は、前記軸部が可撓性を有することにより、摩擦用芯体のチップ部の突出状態において、軸部が容易に撓むため、チップ部を軸筒２の前端孔３１より容易に突出させることができる。
【符号の説明】
【００５０】
１  多芯式熱変色性筆記具
２  軸筒
２１  弾発体
３  前軸
３１  前端孔
４  後軸
４１  窓孔
４２  開口部
４３  係止壁部
４４  クリップ
４５  被係合部
５  蓋部
５１  当接壁部
５２  ヒンジ部
５３  係合部
６  筆記用芯体
６１  ペン先（ボールペンチップ）
６２  インキ収容管
６３  操作部
６４  係合突部
６４ａ  前側突出部
６４ｂ  後側突出部
６５  段部
６６ 熱変色性インキ
６７  追従体
６８  ボール用弾発体
７  摩擦用芯体
７１  チップ部
７２  軸部
７３  操作部
７４  係合突部
７４ａ  前側突出部
７４ｂ  後側突出部
７５  段部
９  弾発体支持部
９１  内孔
９２  保持部
【図１】
2012232481.tif 000003
【図２】
2012232481.tif 000004
【図３】
2012232481.tif 000005
【図４】
2012232481.tif 000006
【図５】
2012232481.tif 000007
【図６】
2012232481.tif 000008
【図７】
2012232481.tif 000009
【図８】
2012232481.tif 000010